(57)【要約】【課題】リンク先のＷｅｂページを開くことなく、ユーザ個々が望む情報を収集可能とすることで、情報収集に要する時間を飛躍的に短縮することにある。【解決手段】スマートフォンから、情報提示サーバが公開するＷｅｂサイトに接続されると、スマートフォンは、まず、情報提示サーバから第１パターンのページ画像データＰＧ１の提示を受けて、検索結果の一覧として詳細度の最も低いページ画像データＰＧ１を表示する。その後、スマートフォンは、ピンチアウト／ピンチインの操作がなされる都度に、その操作に従う倍率に応じた詳細度のページ画像データの提示を情報提示サーバ２００から受け、表示されるページ画像データＰＧ１〜ＰＧ４の切り替えを行う。このために、操作者は、ピンチアウト／ピンチインの操作を行うだけで、画面に表示される検索結果の一覧に含まれるＷｅｂページ毎の説明文の情報量を変更することが可能となる。【選択図】図６
2013037513.tif 000002
【特許請求の範囲】
【請求項１】
テキスト情報や画像情報を含む複数のコンテンツの各コンテンツを画像化した画像部分を含むページデータを生成し、前記ページデータを表示装置に表示させる表示制御部と、複数の前記ページデータを記憶するページデータ記憶部とを含んでなり、
所定の指示を受けた場合、前記複数のページデータの中から前記所定の指示に対応する他のページデータを前記ページデータ記憶部から読み出し、該読み出したページデータを前記表示装置に表示させる、情報提示装置。
【請求項２】
請求項１記載の情報提示装置において、
前記所定の指示は、前記表示装置に表示された前記ページデータに対する拡大率を示す指示である、情報提示装置。
【請求項３】
請求項１または請求項２に記載の情報提示装置であって、
前記表示装置としての携帯端末から送信されたキーワードを受け取ると、該キーワードを含む情報の検索を検索エンジンに依頼する検索依頼部と、
前記検索エンジンから、Ｗｅｂページを個別に示す１または複数のＷｅｂページ情報を含む検索結果を受け取る検索結果受信部と
を備え、
前記表示制御部は、
前記各Ｗｅｂページ情報を、前記各コンテンツとして、画像化した画像部分を含むページデータを生成し、前記ページデータを前記表示装置に表示させる前記表示を実行させる、情報提示装置。
【請求項４】
請求項３に記載の情報提示装置であって、
前記表示制御部は、
前記検索結果受信部により受け取った検索結果の各Ｗｅｂページ情報を分類し、各分類されたグループ毎のグループ別画像データを、個々に前記表示更新部により更新がなされる前記ページデータとして生成し、各グループ別画像データを配列したページを前記表示装置に表示させる、情報提示装置。
【請求項５】
テキスト情報や画像情報を含む複数のコンテンツの各コンテンツを画像化した画像部分を含むページデータを生成し、前記ページデータを表示装置に表示させる表示制御部と、複数の前記ページデータを記憶するページデータ記憶部とを含んでなり、
所定の指示を受けた場合、前記複数のページデータの中から前記所定の指示に対応する他のページデータを前記ページデータ記憶部から読み出し、該読み出したページデータを前記表示装置に表示させる、情報表示システム。
【請求項６】
テキスト情報や画像情報を含む複数のコンテンツの各コンテンツを画像化した画像部分を含むページデータを生成し、前記ページデータを表示装置に表示させる表示制御部と、複数の前記ページデータを記憶するページデータ記憶部とを含むコンピュータを
所定の指示を受けた場合、前記複数のページデータの中から前記所定の指示に対応する他のページデータを前記ページデータ記憶部から読み出し、該読み出したページデータを前記表示装置に表示させる、
ように制御する、情報提示方法。
【請求項７】
コンピュータに
テキスト情報や画像情報を含む複数のコンテンツの各コンテンツを画像化した画像部分を含むページデータを生成し、前記ページデータを表示装置に表示させる機能と、複数の前記ページデータを記憶する機能と
を実現させるとともに、
前記表示させる機能は、
所定の指示を受けた場合、前記複数のページデータの中から前記所定の指示に対応する他のページデータを前記ページデータ記憶部から読み出し、該読み出したページデータを前記表示装置に表示させる機能を含む、コンピュータプログラム。
【発明の詳細な説明】
【技術分野】
【０００１】
本発明は、テキスト情報や画像情報を含む複数のコンテンツを表示装置に表示させる技術に関する。
【背景技術】
【０００２】
近年、インターネット上の情報を一覧にして提示する情報提示装置が知られている。情報提示装置の一例としては、検索エンジンによる検索結果の一覧を提示するものがある。検索エンジンでは、検索結果の一部、すなわち、キーワードを含む数行のテキストを、情報端末に提示する（例えば、特許文献１を参照）。
【先行技術文献】
【特許文献】
【０００３】
【特許文献１】特表２００９−５２５５４８号公報
【０００４】
前記検索エンジンから情報の提示を受けて一覧表示を行うクライアントコンピュータでは、それ以上の情報を得るためには、リンク先のＷｅｂページを１つ１つ開けてはその内容を確認し、所望の情報が得られない場合は再び検索結果一覧画面に戻るという作業を繰り返すことになる。
【０００５】
クライアントコンピュータの一例としてスマートフォンがあるが、この種のスマートフォンには、ピンチアウト／ピンチインの操作が可能なものがある。「ピンチアウト」とは、タッチパネルに２本の指を乗せ、指の間を広げる操作である。画面上の対象物を拡大する際などに行う。「ピンチイン」とは、タッチパネルに２本の指を乗せ、指の間を狭める操作である。画面上の対象物を縮小する際などに行う。ピンチアウトの操作を利用すれば、検索エンジンによる検索結果一覧画面を拡大して、見易くすることができる。しかしながら、あくまでも文字や画像が拡大して見やすくなるだけで、得られる情報量は変わらない。このため、より多くの情報を得るためには、結局は、リンク先のＷｅｂページを１つ１つ開けていくことになる。
【０００６】
上記のことから、従来技術によれば、情報提示を受けるユーザは、望む情報を得るには、リンク先のＷｅｂページを１つ１つ開ける操作が必要となり、ユーザにとっては、情報を得るための操作が煩雑で面倒であった。
【発明の概要】
【発明が解決しようとする課題】
【０００７】
そこで、本発明が解決しようとする課題は、リンク先のＷｅｂページを１つ１つ開ける操作を行わずに、ユーザ個々が望む情報を得られるようにすることにある。
【課題を解決するための手段】
【０００８】
本発明は、上述の課題の少なくとも一部を解決するためになされたものであり、以下の形態又は適用例として実現することが可能である。
【０００９】
［適用例１］  テキスト情報や画像情報を含む複数のコンテンツの各コンテンツを画像化した画像部分を含むページデータを生成し、前記ページデータを表示装置に表示させる表示制御部と、複数の前記ページデータを記憶するページデータ記憶部とを含んでなり、
所定の指示を受けた場合、前記複数のページデータの中から前記所定の指示に対応する他のページデータを前記ページデータ記憶部から読み出し、該読み出したページデータを前記表示装置に表示させる、情報提示装置。
【００１０】
適用例１に係る情報提示装置によれば、各コンテンツを画像化した画像部分を含むページデータが、表示装置に表示されることになる。そして、表示装置にページデータが表示された状態で、所定の指示を受けたときに、該指示に対応する他のページデータに、表示装置の表示が切り替えられる。ページデータのそれぞれには、各コンテンツが画像化された画像部分が複数含まれることから、操作者は、所定の指示を行うだけで、各コンテンツの情報を得ることができる。すなわち、操作者は、各コンテンツを１つ１つ開ける操作を行わずに、望む情報を得ることができる。
【００１１】
［適用例２］  適用例１に記載の情報提示装置であって、前記所定の指示は、前記表示装置に表示された前記ページデータに対する拡大率を示す指示である、情報提示装置。
【００１２】
この構成によれば、操作者は、ページデータに対する拡大率を示す指示を行うことで、コンテンツの情報が増加したページデータに、表示を切り替えることができ、縮小の指示（前記他指示）を受けたときには、コンテンツ毎の画像部分に表されるテキスト情報の情報量が減少したページデータに、表示を切り替えることができる。
【００１３】
［適用例３］  適用例１または適用例２に記載の情報提示装置であって、前記表示装置としての携帯端末から送信されたキーワードを受け取ると、該キーワードを含む情報の検索を検索エンジンに依頼する検索依頼部と、前記検索エンジンから、Ｗｅｂページを個別に示す１または複数のＷｅｂページ情報を含む検索結果を受け取る検索結果受信部とを備え、前記表示制御部は、前記各Ｗｅｂページ情報を、前記各コンテンツとして、画像化した画像部分を含むページデータを生成し、前記ページデータを前記表示装置に表示させる前記表示を実行させる、情報提示装置。
【００１４】
この構成によれば、既存の検索エンジンを利用して、携帯端末に適した検索サービスを提供することができる。
【００１５】
［適用例４］  適用例３に記載の情報提示装置であって、前記表示制御部は、前記検索結果受信部により受け取った検索結果の各Ｗｅｂページ情報を分類し、各分類されたグループ毎のグループ別画像データを、個々に前記表示更新部により更新がなされる前記ページデータとして生成し、各グループ別画像データを配列したページを前記表示装置に表示させる、情報提示装置。
【００１６】
この構成によれば、検索結果がグループに別に分類して表示されることから、情報収集が容易である。その上、所定の指示により、望む情報に辿り着くことが可能である。これらのことから、検索を、より一層、素早く行うことが可能となる。
【００１７】
［適用例５］  テキスト情報や画像情報を含む複数のコンテンツの各コンテンツを画像化した画像部分を含むページデータを生成し、前記ページデータを表示装置に表示させる表示制御部と、複数の前記ページデータを記憶するページデータ記憶部とを含んでなり、
所定の指示を受けた場合、前記複数のページデータの中から前記所定の指示に対応する他のページデータを前記ページデータ記憶部から読み出し、該読み出したページデータを前記表示装置に表示させる、情報表示システム。
【００１８】
［適用例６］  テキスト情報や画像情報を含む複数のコンテンツの各コンテンツを画像化した画像部分を含むページデータを生成し、前記ページデータを表示装置に表示させる表示制御部と、複数の前記ページデータを記憶するページデータ記憶部とを含むコンピュータを
所定の指示を受けた場合、前記複数のページデータの中から前記所定の指示に対応する他のページデータを前記ページデータ記憶部から読み出し、該読み出したページデータを前記表示装置に表示させる、
ように制御する、情報提示方法。
【００１９】
［適用例７］  コンピュータに
テキスト情報や画像情報を含む複数のコンテンツの各コンテンツを画像化した画像部分を含むページデータを生成し、前記ページデータを表示装置に表示させる機能と、複数の前記ページデータを記憶する機能と
を実現させるとともに、
前記表示させる機能は、
所定の指示を受けた場合、前記複数のページデータの中から前記所定の指示に対応する他のページデータを前記ページデータ記憶部から読み出し、該読み出したページデータを前記表示装置に表示させる機能を含む、コンピュータプログラム。
【００２０】
適用例５に係る情報表示システム、適用例６に係る情報提示方法、および適用例７に係るコンピュータプログラムによれば、適用例１に係る情報提示装置と同様に、操作者は、各コンテンツを１つ１つ開ける操作を行わずに、望む情報を得ることができる。
【００２１】
さらに、本発明は、下記の適用例８ないし適用例１８としても実現することが可能である。
【００２２】
［適用例８］  テキスト情報をそれぞれ含む複数のコンテンツを、表示装置に表示させる情報提示装置であって、
前記テキスト情報の情報量を削減して前記各コンテンツを画像化した画像部分を含むページデータを生成し、前記ページデータを前記表示装置に表示させる表示制御部を備え、
前記表示制御部は、
前記表示装置に前記ページデータが表示された状態で、所定の指示を受けたときに、前記ページデータの前記各画像部分に用いられる前記テキスト情報の情報量を、前記所定の指示を受ける前より増加して、前記ページデータの生成を行い、前記生成されたページデータでもって前記表示装置の表示を更新させる表示更新部を備える、情報提示装置。
【００２３】
適用例８に係る情報提示装置によれば、各コンテンツのテキスト情報の一部分を画像化した画像部分を含むページデータが、表示装置に表示されることになる。そして、表示装置にページデータが表示された状態で、所定の指示を受けたときに、コンテンツ毎の前記画像部分に表されるテキスト情報の情報量が増加したページデータに、表示装置の表示が切り替えられる。このために、所定の指示を受ける都度に、コンテンツ毎の情報量が増加したページデータに順次、表示装置の表示が更新されることになる。換言すれば、操作者は、前記所定の指示を行うことで、画面に表示されるコンテンツ毎の情報量を変更することができる。したがって、適用例１に係る情報提示装置によれば、操作者は、所定の指示を行うだけで、自分が望む情報に辿り着くことが可能となることから、情報収集を素早く行うことができる。
【００２４】
［適用例９］  適用例８に記載の情報提示装置であって、前記表示更新部は、前記表示装置に前記ページデータが表示された状態で、前記所定の指示とは異なる他指示を受けたときに、前記ページデータの前記各画像部分に用いられる前記テキスト情報の情報量を、前記他指示を受ける前より減少して、前記ページデータの生成を行い、前記生成されたページデータでもって前記表示装置の表示を更新させる、情報提示装置。
【００２５】
この構成によれば、ページデータに対する拡大と縮小の両方の指示を受けることができ、拡大の指示（前記所定の指示）を受けたときには、コンテンツ毎の画像部分に表されるテキスト情報の情報量が増加したページデータに、表示を切り替えることができ、縮小の指示（前記他指示）を受けたときには、コンテンツ毎の画像部分に表されるテキスト情報の情報量が減少したページデータに、表示を切り替えることができる。
【００２６】
［適用例１０］  適用例８または適用例９に記載の情報提示装置であって、前記ページデータについて、前記各画像部分に用いられる前記テキスト情報の情報量を異ならせた複数のページデータを記憶するページデータ記憶部を備え、前記所定の指示は、前記表示装置に表示された前記ページデータに対する拡大率を示す指示であり、前記表示制御部は、前記所定の指示を受ける都度に、前記ページデータ記憶部に記憶された複数のページデータの中から、前記拡大率に基づいて選択される一のページデータを読み出して、該読み出したページデータを前記表示装置に表示させる、情報提示装置。
【００２７】
この構成によれば、所定の指示を受けたときには、記憶部に予め記憶された複数のページデータの中から１つを読み出すだけで済むことから、所定の指示を受けたときの表示の更新を素早く行うことができる。
【００２８】
［適用例１１］  適用例８または適用例９に記載の情報提示装置であって、前記表示制御部は、前記所定の指示を受ける都度に、前記テキスト情報の情報量を増加して前記ページデータの生成を行い、該生成されたページデータを前記表示装置に表示させる構成を備える、情報提示装置。
【００２９】
この構成によれば、所定の指示を受ける都度に、ページデータの生成がなされることになる。このため、データの記憶容量が少なくて済む。
【００３０】
［適用例１２］  適用例８ないし適用例１１のいずれかに記載の情報提示装置であって、前記表示装置としてのスマートフォンから送信された検索キーワードを受け取ると、該検索キーワードを検索エンジンに渡して該検索キーワードを含む情報の検索を検索エンジンに依頼する検索依頼部と、前記検索エンジンから、Ｗｅｂページを個別に示す１または複数のＷｅｂページ情報を含む検索結果を受け取る検索結果受信部とを備え、前記表示制御部は、前記各Ｗｅｂページ情報を前記各コンテンツとして、前記表示を実行させる、情報提示装置。
【００３１】
この構成によれば、既存の検索エンジンを利用して、スマートフォンに適した検索サービスを提供することができる。
【００３２】
［適用例１３］  適用例１２に記載の情報提示装置であって、前記表示制御部は、前記検索結果受信部により受け取った検索結果の各Ｗｅｂページ情報を分類し、各分類されたグループ毎のグループ別画像データを、個々に前記表示更新部により更新がなされる前記ページデータとして生成し、各グループ別画像データを配列したページを前記表示装置に表示させる構成である、情報提示装置。
【００３３】
この構成によれば、検索結果がグループに別に分類して表示されることから、情報収集が容易である。その上、所定の指示により、望む情報に辿り着くことが可能である。これらのことから、検索を、より一層、素早く行うことが可能となる。
【００３４】
［適用例１４］  前記ページにおける前記各グループ別画像データの配列を、縦方向に複数、横方向に複数並ぶものとした、適用例１３に記載の情報提示装置。この構成によれば、各グループ別画像データの視認性に優れている。
【００３５】
［適用例１５］  前記所定の指示は、ピンチアウトの操作に従う指示である、適用例８ないし適用例１４のいずれかに記載の情報提示装置。この構成によれば、ピンチアウトの操作により、表示画像の更新を行うことができる。
【００３６】
［適用例１６］  テキスト情報をそれぞれ含む複数のコンテンツを表示する情報表示システムであって、
前記表示のための表示部と、
前記テキスト情報の情報量を削減して前記各コンテンツを画像化した画像部分を含むページデータを生成し、前記ページデータを前記表示部に表示させる表示制御部と
を備え、
前記表示制御部は、
前記表示部に前記ページデータが表示された状態で、所定の指示を受けたときに、前記ページデータの前記各画像部分に用いられる前記テキスト情報の情報量を、前記所定の指示を受ける前より増加して、前記ページデータの生成を行い、前記生成されたページデータでもって前記表示部の表示を更新させる表示更新部を備える、情報表示システム。
【００３７】
［適用例１７］  テキスト情報をそれぞれ含む複数のコンテンツを、表示装置に表示させる情報提示方法であって、
前記テキスト情報の情報量を削減して前記各コンテンツを画像化した画像部分を含むページデータを生成し、前記ページデータを表示装置に表示させる工程を備え、
前記工程は、
前記表示装置に前記ページデータが表示された状態で、所定の指示を受けたときに、前記ページデータの前記各画像部分に用いられる前記テキスト情報の情報量を、前記所定の指示を受ける前より増加して、前記ページデータの生成を行い、前記生成されたページデータでもって前記表示装置の表示を更新させる工程を備える、情報提示方法。
【００３８】
［適用例１８］  テキスト情報をそれぞれ含む複数のコンテンツを、表示装置に表示させるためのコンピュータプログラムであって、
前記テキスト情報の情報量を削減して前記各コンテンツを画像化した画像部分を含むページデータを生成し、前記ページデータを表示装置に表示させる機能を、コンピュータに実現させると共に、
前記機能は、
前記表示装置に前記ページデータが表示された状態で、所定の指示を受けたときに、前記ページデータの前記各画像部分に用いられる前記テキスト情報の情報量を、前記所定の指示を受ける前より増加して、前記ページデータの生成を行い、前記生成されたページデータでもって前記表示装置の表示を更新させる機能を含む、コンピュータプログラム。
【００３９】
適用例１６に係る情報表示システム、適用例１７に係る情報提示方法、および適用例１８に係るコンピュータプログラムによれば、適用例８に係る情報提示装置と同様に、操作者は、所定の指示の発行をコントロールすることだけで、自分が望む情報に辿り着くことが可能となることから、情報収集を素早く行うことができる。
【００４０】
さらに、本発明は、前記適用例１ないし適用例１８以外の種々の形態で実現可能であり、例えば、適用例７、１８に係るコンピュータプログラムを記録した記録媒体、そのコンピュータプログラムを含み搬送波内に具現化されたデータ信号、等の形態でとしての形態等で実現することが可能である。記録媒体としては、例えば、磁気ディスクや光ディスク、メモリカード、ハードディスク等の種々の媒体を利用することができる。
【図面の簡単な説明】
【００４１】
【図１】本発明の第１実施例としてのＷｅｂページ検索システム１０の概略構成を示す説明図である。
【図２】情報提示サーバ２００とスマートフォン４００とで実行される検索に関わる各処理の前半部分を示すフローチャートである。
【図３】情報提示サーバ２００とスマートフォン４００とで実行される検索に関わる各処理の後半部分を示すフローチャートである。
【図４】検索ページＳＰの一例を示す説明図である。
【図５】検索サーバ１００から送られてくる検索結果データＳＤを示す説明図である。
【図６】詳細度が相違する複数パターンのページ画像データＰＧ１〜ＰＧ４の一例を示す説明図である。
【図７Ａ】第２実施例における第１パターンの表示画面ＰＰ１を例示する説明図である。
【図７Ｂ】第２パターンの表示画面ＰＰ２を例示する説明図である。
【図７Ｃ】第３パターンの表示画面ＰＰ３を例示する説明図である。
【図７Ｄ】第４パターンの表示画面ＰＰ４を例示する説明図である。
【図８】都市毎に生成される４種類の画像データＰＣ１〜ＰＣ４を例示する説明図である。
【図９】第３実施例におけるスマートフォンに表示される検索結果を例示する説明図である。
【発明を実施するための形態】
【００４２】
以下、本発明の実施の形態について、図面を参照しながら、実施例に基づき説明する。
【００４３】
Ａ．第１実施例：
Ａ−１．システム全体の構成：
図１は、本発明の第１実施例としてのＷｅｂページ検索システム１０の概略構成を示す説明図である。図示するように、Ｗｅｂページ検索システム１０は、検索サーバ１００と、情報提示サーバ２００と、基地局３００と、携帯電話端末としてのスマートフォン４００とを含んでいる。検索サーバ１００と、情報提示サーバ２００と、基地局３００とは、インターネットＩＮＴを介して通信可能に接続されている。スマートフォン４００は、基地局３００との間でデータ通信を行うことで、インターネットＩＮＴに接続することが可能となる。
【００４４】
検索サーバ１００は、インターネットＩＮＴ上に多数公開されているＷｅｂページを検索する検索サービスを提供するためのコンピュータである。例えばＧｏｏｇｌｅ（登録商標）、Ｙａｈｏｏ！（登録商標）等の検索Ｗｅｂページを公開する検索サーバが該当する。
【００４５】
図示するように、検索サーバ１００は、検索エンジン１１０を備える。検索エンジン１１０は、ソフトウェア（ロボット）を利用してインターネットＩＮＴ上のＷｅｂサイトを巡回し、Ｗｅｂページを自動収集する。収集方法としては、自動収集の他、ディレクトリ型と呼ばれる手動収集等であってもよい。検索エンジン１１０は、前記収集したＷｅｂページを解析して、キーワードごとに整理、分類し、さらにインデックス（索引）を作成し、それらをデータベース１２０に蓄積する。インデックスは、Ｗｅｂページを検索エンジン的に分解して作成するもので、キーワード、Ｗｅｂページの場所（例えばＵＲＬ）、Ｗｅｂページの更新日、テキスト情報、画像情報等を含む。
【００４６】
検索サーバ１００は、通常は、クライアントコンピュータ（図示せず）からインターネットＩＮＴを介して検索キーワードを受け取ると、その検索キーワードを検索エンジン１１０に渡して該検索キーワードを含むＷｅｂページの検索を検索エンジン１１０に指示する。検索エンジン１１０は、検索キーワードに合致するインデックスをデータベース１２０から検索する。検索サーバ１００は、検索エンジン１１０の検索結果を、インターネットＩＮＴを介して、検索依頼元のクライアントコンピュータに送信する。この結果、Ｗｅｂページを検索する検索サービスを、クライアントコンピュータで受けることができる。
【００４７】
スマートフォン４００は、携帯電話と携帯情報端末（ＰＤＡ）を融合した携帯端末である。スマートフォンの構成は周知であることから、ここでは詳しく説明しないが、本実施例のスマートフォン４００の特徴は、図示するように、マルチタッチに対応するタッチセンサ式表示パネル４０２を備えることである。タッチセンサ式表示パネル４０２は、液晶表示パネル４０２ａと、液晶表示パネル４０２に付加されたタッチセンサ４０２ｂとを含む。タッチセンサ式表示パネル４０２と接続されるＣＰＵ４１０は、タッチセンサ４０２ｂの出力信号からピンチアウト／ピンチインの操作を検知し、ピンチアウト／ピンチインの操作に応じて、液晶表示パネル４０２ａに表示された画像を拡大／縮小する。スマートフォン４００は、具体的には、例えば、アップル社製のｉＰｈｏｎｅ（登録商標）等が該当する。スマートフォン４００は、適用例１における「表示装置」に相当する。
【００４８】
スマートフォン４００は、前述したクライアントコンピュータにもなりうる。すなわち、スマートフォン４００は、検索サーバ１００が公開するＷｅｂサイトに接続することで、検索サーバ１００が提供する前述した検索サービスを受けることができる。
【００４９】
情報提示サーバ２００は、検索サーバ１００と同様に、Ｗｅｂページを検索する検索サービスを提供するためのコンピュータである。ただし、情報提示サーバ２００は、Ｗｅｂページの検索そのものは検索サーバ１００に依頼し、検索サーバ１００から送られてくる検索結果を、検索サーバ１００とは異なった表示態様、すなわち、スマートフォンに適した表示態様で提示する。
【００５０】
図示するように、情報提示サーバ２００は、通信部２１０と、中央演算回路（ＣＰＵ）２２０と、ＲＡＭやＲＯＭ等の内部記憶部２３０と、外部記憶部としてのハードディスクドライブ（ＨＤＤ）２４０とを備えている。通信部２１０は、インターネットＩＮＴと基地局３００を介してスマートフォン４００と通信を行うことができ、また、インターネットＩＮＴを介して検索サーバ１００と通信を行うことができる。
【００５１】
内部記憶部２３０には、Ｗｅｂページ検索結果の提示用のコンピュータプログラム２３２と、検索サーバ１００用に用意したＡＰＩ（Application Program Interface）２３４が記憶されている。情報提示サーバ２００は、ＡＰＩ２３４を備えることで、検索サーバ１００の検索結果を利用することが可能となる。ＡＰＩ２３４は、検索サーバ１００から提供を受ける構成としてもよいし、情報提示サーバ２００の所有者が独自で作成する構成としてもよい。コンピュータプログラム２３２は、使用しないときは、ＨＤＤ２４０に格納され、使用時に、ＨＤＤ２４０から読み出されて、内部記憶部２３０に格納される。ＣＰＵ２２０は、このコンピュータプログラムを実行することで、表示更新部２２２ａを含む表示制御部２２２を機能的に実現することになる。表示制御部２２２、表示更新部２２２ａについては、後ほど詳述する。
【００５２】
Ａ−２．スマートフォンの検索に関わる処理：
図２および図３は、情報提示サーバ２００とスマートフォン４００とで実行される検索に関わる各処理を示すフローチャートである。図２は各処理の前半部分であり、図３は各処理の後半部分である。図中右側のフローチャートは、情報提示サーバ２００側で実行されるＷｅｂページ検索結果提示処理を示す。図中左側のフローチャートは、スマートフォン４００側で実行される検索依頼・表示処理を示す。
【００５３】
スマートフォン４００に備えられるＣＰＵ（以下「スマートフォンＣＰＵ」と呼ぶ）４１０は、情報提示サーバ２００が公開するＷｅｂサイトに接続して、検索依頼・表示処理を実行開始する。スマートフォンＣＰＵは、まず、接続時に情報提示サーバ２００から送られてくる検索ページを、表示パネル４０２に表示する（ステップＳ１１０）。
【００５４】
図４は、検索ページＳＰの一例を示す説明図である。図示するように、スマートフォン４００の表示パネル４０２に、検索ページＳＰが表示される。検索ページＳＰは、検索キーワードの入力欄ＫＦと、検索の実行を指示する［検索］ボタンＢＴとを含む。操作者は、入力欄ＫＦに例えば「△△」といった検索キーワードを入力し、次いで、［検索］ボタンＢＴをタッチすることにより、検索キーワードを含むＷｅｂページの検索を指示する。
【００５５】
図２の左側の検索依頼・表示処理において、スマートフォンＣＰＵ４１０は、ステップＳ１１０の実行後、上述した操作者による検索キーワードを含む検索指示を受け付ける処理を行い（ステップＳ１２０）、次いで、その入力された検索キーワードを、情報提示サーバ２００に向けて送信する（ステップＳ１３０）。
【００５６】
情報提示サーバＣＰＵ２２０は、接続されたスマートフォン４００に対して検索ページを送信後、Ｗｅｂページ検索結果提示処理を実行開始する。情報提示サーバＣＰＵ２２０は、まず、スマートフォン４００から基地局３００、インターネットＩＮＴを介して送られてくる検索キーワードを受信したか否かを判定し（ステップＳ２１０）、受信されない場合にはステップＳ２１０を繰り返して受信されるのを待つ。ステップＳ２１０で検索キーワードを受信したと判定されると、情報提示サーバＣＰＵ２２０は、その検索キーワードを検索サーバ１００に向けて転送する（ステップＳ２２０）。
【００５７】
検索サーバ１００は、情報提示サーバ２００からインターネットＩＮＴを介して送られてくる検索キーワードを受け取ると、該検索キーワードを含むＷｅｂページの検索を行い、その検索結果を示す検索結果データを情報提示サーバ２００に送る。ここで言うＷｅｂページの検索は、先に説明した、クラインアントコンピュータからの依頼に従って情報提示サーバ２００が行う検索処理と同様のもので、検索キーワードに合致するインデックスをデータベース１２０（図１）から検索するものである。検索サーバ１００は、検索エンジン１１０の検索結果を、インターネットＩＮＴを介して情報提示サーバ２００に送信する。
【００５８】
図５は、検索サーバ１００から送られてくる検索結果データＳＤを示す説明図である。検索結果データＳＤは、Ｗｅｂページを個別に示す１または複数のＷｅｂページ情報ｄｗの集合である。各Ｗｅｂページ情報ｄｗは、検索サーバ１００により、検索キーワードに合致したとしてデータベース１２０から選択された各インデックスから生成されるデータであり、各インデックスの少なくとも一部のデータによって構成されたものである。詳細には、図示するように、各検索Ｗｅｂページ情報ｄｗは、［キーワード］項目ｄ１と、［Ｗｅｂページの場所］項目ｄ２と、［Ｗｅｂページの更新日］項目ｄ３と、［テキスト情報］項目ｄ４と、［サムネイル］項目ｄ５とから構成される。
【００５９】
［キーワード］項目ｄ１は、Ｗｅｂページの検索のためのキーワードを格納するためのフィールドである。このキーワードが検索キーワードと合致したものとなっている。［Ｗｅｂページの場所］項目ｄ２は、Ｗｅｂページの場所を表すＵＲＬ等を格納するためのフィールドである。［Ｗｅｂページの更新日］項目ｄ３は、Ｗｅｂページの更新日を格納するためのフィールドである。
【００６０】
［テキスト情報］項目ｄ４は、Ｗｅｂページを表すテキスト情報を格納するためのフィールドであり、Ｗｅｂページのタイトルを格納するための［タイトル］項目ｄ４１と、Ｗｅｂページの内容の要約を格納するための［要約］項目ｄ４２とを含む。図中の吹き出しに、［タイトル］項目ｄ４１と［要約］項目ｄ４２に格納される各内容の一例を記載した。
【００６１】
［サムネイル］項目ｄ５は、Ｗｅｂページに含まれる代表的な画像データのサムネイルを格納するためのフィールドである。代表的な画像データは、例えば、Ｗｅｂページにおけるキーワード近傍の画像データである。なお、画像データが含まれないＷｅｂページの場合、［サムネイル］項目ｄ５には何も格納されない。
【００６２】
前述した検索結果データＳＤを構成する各Ｗｅｂページ情報ｄｗが、適用例１における「コンテンツ」に相当する。すなわち、情報提示サーバ２００は、各Ｗｅｂページ情報ｄｗをスマートフォン４００に表示させる情報提示装置として機能する。
【００６３】
図２の右側のＷｅｂページ検索結果提示処理において、情報提示サーバＣＰＵ２２０は、ステップＳ２３０の実行後、ステップＳ２３０で受信した検索結果データＳＤに基づいてページ画像データを生成する処理を実行する（ステップＳ２４０）。ページ画像データは、検索結果データＳＤに含まれる１または複数の検索Ｗｅｂページ情報ｄｗの一覧を示すページのデータであり、ステップＳ２４０では、詳細度が相違する複数パターンのページ画像データを生成する。この生成された複数パターンのページ画像データは、内部記憶部２３０、ＨＤＤ２４０等の記憶部（ページデータ記憶部）に一旦格納する。
【００６４】
図６は、詳細度が相違する複数パターンのページ画像データＰＧ１〜ＰＧ４の一例を示す説明図である。図示の例では、第１パターンから第４パターンまでの４つのパターンのページ画像データＰＧ１〜ＰＧ４が生成されるものとしている。第１パターンから第４パターンまで順に詳細度が高くなっている。図示の例は、検索キーワードが「△△」である場合の検索結果データＳＤに従うものである。
【００６５】
図６（ａ）に示すように、第１パターンのページ画像データＰＧ１は、検索Ｗｅｂページ情報ｄｗの毎にタイトルだけを並べたページの画像データである。すなわち、ステップＳ２４０では、情報提示サーバＣＰＵ２２０は、検索Ｗｅｂページ情報ｄｗ毎に、［タイトル］項目ｄ４１からタイトル（テキスト情報）を読み出し、その読み出したテキスト情報を画像化した画像部分を含むページ画像データを、第１パターンのページ画像データＰＧ１として生成する。
【００６６】
図６（ｂ）に示すように、第２パターンのページ画像データＰＧ２は、検索Ｗｅｂページ情報ｄｗの毎にタイトルと要約の最初の文を並べたページの画像データである。すなわち、ステップＳ２４０では、情報提示サーバＣＰＵ２２０は、検索Ｗｅｂページ情報ｄｗ毎に、［タイトル］項目ｄ４１からタイトル（テキスト情報）を、［要約］項目ｄ４２から要約の最初の文（テキスト情報）だけをそれぞれ読み出し、その読み出した両テキスト情報を画像化した画像部分を含むページ画像データを、第２パターンのページ画像データＰＧ２として生成する処理も行う。
【００６７】
図６（ｃ）に示すように、第３パターンのページ画像データＰＧ３は、検索Ｗｅｂページ情報ｄｗの毎にタイトルと要約の全文を並べたページの画像データである。すなわち、ステップＳ２４０では、情報提示サーバＣＰＵ２２０は、検索Ｗｅｂページ情報ｄｗ毎に、［タイトル］項目ｄ４１からタイトル（テキスト情報）を、［要約］項目ｄ４２から要約の全文（テキスト情報）をそれぞれ読み出し、その読み出した両テキスト情報を画像化した画像部分を含むページ画像データを、第３パターンのページ画像データＰＧ３として生成する処理も行う。
【００６８】
図６（ｄ）に示すように、第４パターンのページ画像データＰＧ４は、検索Ｗｅｂページ情報ｄｗの毎にタイトルと要約の全文と画像データとを並べたページの画像データである。すなわち、ステップＳ２４０では、情報提示サーバＣＰＵ２２０は、検索Ｗｅｂページ情報ｄｗ毎に、［タイトル］項目ｄ４１からタイトル（テキスト情報）を、［要約］項目ｄ４２から要約の全文（テキスト情報）を、［サムネイル］項目ｄ５からサムネイルをそれぞれ読み出し、その読み出した両テキスト情報を画像化した画像部分とサムネイルによる画像部分を含むページ画像データを、第４パターンのページ画像データＰＧ４として生成する処理も行う。
【００６９】
すなわち、第１パターンではテキスト情報のうちのタイトルだけを含み、第２パターンではテキスト情報のうちのタイトルと要約の最初の文を含み、第３パターンではテキスト情報のうちのタイトルと要約の全文（すなわち、テキスト情報の全て）を含み、第４パターンではテキスト情報の全てとサムネイルとを含む。このため、第１パターンから第３パターンまでは、順にテキスト情報の情報量が多くなり、第４パターンでは、第３パターンに比べて、サムネイルが追加された分だけさらに情報量が多くなる。したがって、第１パターンから第４パターンまで順に詳細度が高くなっている。なお、詳細度が高くなった分だけ、第１パターンから第４パターンまで順に画像サイズも順に大きくなっている。
【００７０】
図２に戻り、ステップＳ２４０で、前記第１〜第４パターンのページ画像データＰＧ１〜ＰＧ４ｑが生成されると、次いで、情報提示サーバＣＰＵ２２０は、第１〜第４パターンのページ画像データＰＧ１〜ＰＧ４ｑの内から最も詳細度の低い第１パターンのページ画像データＰＧ１をそれらの格納場所である記憶部から読み出して、その読み出したページ画像データＰＧ１を、スマートフォン４００に向けて送信する（ステップＳ２５０）。
【００７１】
図２の左側の検索依頼・表示処理において、スマートフォンＣＰＵ４１０は、情報提示サーバ２００からインターネットＩＮＴを介して送られてくる第１パターンのページ画像データＰＧ１を受信して（ステップＳ１４０）、第１パターンのページ画像データＰＧ１を表示パネル４０２に表示する（ステップＳ１５０）。その後、スマートフォンＣＰＵ４１０は、図３のステップＳ１６０に進む。
【００７２】
ステップＳ１６０では、スマートフォンＣＰＵ４１０は、表示パネル４０２に表示されたページ画像データ（最初は、第１パターンのページ画像データＰＧ１であるが順次更新される）に対して、操作者によるピンチアウトまたはピンチインの操作があるか否かを判定する。ここで、ピンチアウト／ピンチインのいずれの操作もないと判定されたときには、スマートフォンＣＰＵ４１０は、ステップＳ１９４に処理を進めて、この検索依頼・表示処理を終了する指示を受けたか否かを判定する。ここで、終了する指示を受けていないと判定された場合には、ステップＳ１６０に処理を戻して、操作者によりピンチアウトまたはピンチインの操作がなされるのを待つ。上記終了する指示は、例えば、検索ページＳＰを閉じる指示である。
【００７３】
ステップＳ１６０でピンチアウトまたはピンチインの操作があると判定された場合には、スマートフォンＣＰＵ４１０は、表示パネル４０２に表示されたページ画像データに対して今回までに操作されたピンチアウトまたはピンチインの絶対倍率ＡＳを算出する処理を行う（ステップＳ１７０）。ピンチアウトまたはピンチインの操作は、表示パネル４０２に表示されたページ画像データに対して、必要に応じて操作者により複数回実行されることもあるが、その場合には、それぞれの操作による拡大／縮小率に基づいて、元のページ画像データ（＝第１パターンのページ画像データＰＧ１）に対して最終的に何倍の倍率となったかを求める。この元のページ画像データに対する最終的な倍率が絶対倍率ＡＳである。
【００７４】
例えば、第１回目のピンチアウトによる拡大率が１．２倍であり、第２回目のピンチアウトによる拡大率が１．２倍である場合には、絶対倍率ＡＳは１．２×１．２＝１．４４倍となる。第１回目のピンチアウトによる拡大率が１．４倍であり、第２回目のピンチインによる縮小率が０．９倍である場合には、絶対倍率ＡＳは１．４×０．９＝１．２６倍となる。なお、第１回目のピンチアウトまたはピンチインの操作では、その第１回目の拡大／縮小率がそのまま絶対倍率ＡＳとなる。また、絶対倍率ＡＳが１．０を下回るような、ピンチインの操作は元のページ画像データよりは縮小されることはない。例えば、第１回目におけるピンチインの操作は、縮小率が１．０を下回ることから受け付けない構成となっている。ピンチアウトまたはピンチインの操作による拡大／縮小率は、表示パネル４０２上の２本の指の位置を検出し、２本の指の間隔の変化から求めることができる。
【００７５】
ステップＳ１７０の実行後、スマートフォンＣＰＵ４１０は、ステップＳ１７０で求めた絶対倍率ＡＳを、情報提示サーバ２００に向けて送信する（ステップＳ１８０）。
【００７６】
情報提示サーバＣＰＵ２２０は、スマートフォン４００から基地局３００、インターネットＩＮＴを介して送られてくる絶対倍率ＡＳを受信したか否かを判定し（ステップＳ２６０）、受信されない場合にはステップＳ２６０を繰り返して受信されるのを待つ。ステップＳ２６０で絶対倍率ＡＳを受信したと判定されると、情報提示サーバＣＰＵ２２０は、ステップＳ２４０により記憶部に記憶した第１ないし第４のページ画像データＰＧ１〜ＰＧ４の内から、絶対倍率ＡＳに応じたページ画像データを読み出して（ステップＳ２７０）、その読み出したページ画像データを、スマートフォン４００に向けて送信する（ステップＳ２８０）。
【００７７】
ステップＳ２７０では、例えば、絶対倍率ＡＳが１倍以上かつ２倍未満であるときには、第１パターンのページ画像データＰＧ１が選択される。第１回目のピンチアウト／ピンチインの操作で、倍率が２倍未満であるときには、ページ画像データに変更がないことになる。絶対倍率ＡＳが２倍以上かつ３倍未満であるときには第２パターンのページ画像データＰＧ２が選択され、絶対倍率ＡＳが３倍以上かつ４倍未満であるときには第３パターンのページ画像データＰＧ３が選択され、絶対倍率ＡＳが４倍以上であるときには第４パターンのページ画像データＰＧ４が選択される。
【００７８】
すなわち、ステップＳ２７０の処理によれば、ピンチアウト／ピンチインの絶対倍率ＡＳに応じた詳細度を持つページ画像データ選択される。詳しくは、絶対倍率ＡＳが大きいほど、詳細度が高いページ画像データが選択される。
【００７９】
スマートフォンＣＰＵ４１０は、ステップＳ２８０により送信された、情報提示サーバ２００からインターネットＩＮＴを介して送られてくるページ画像データを受信して（ステップＳ１９０）、そのページ画像データを表示パネル４０２に表示する（ステップＳ１９２）。すなわち、表示パネル４０２に表示されるページ画像を、ステップＳ１９０で受信した新たなページ画像データに切り替えられる。その後、スマートフォンＣＰＵ４１０は、ステップＳ１９４に進む。ステップＳ１９４で、検索依頼・表示処理を終了する指示を受けたと判定された場合には、「ＥＮＤ」に抜けて、検索依頼・表示処理を終了する。
【００８０】
なお、スマートフォン４００で、ピンチアウト／ピンチインの操作を受けて切り替えられるページ画像データＰＧ１〜ＰＧ４は、図６にも示したように、情報量が相違する、すなわち詳細度が相違するものであり、本実施例では、ピンチアウト／ピンチインの操作を受けても、通常のピンチアウト／ピンチイン時の画面変化、すなわち画面上の文字や画像が拡大／縮小する変化は起こらないものとしている。また、ページ画像データＰＧ１〜ＰＧ４は、表示パネル４０２に一度に表示される必要はなく、スクロール操作に従って一部分ずつ順に表示されるようにしてもよい。
【００８１】
図中の右側のＷｅｂページ検索結果提示処理において、情報提示サーバＣＰＵ２２０は、ステップＳ２８０の処理の実行後、Ｗｅｂページ検索結果提示処理を終了する指示を受けたか否かを判定する。ここで、終了する指示を受けていないと判定された場合には、ステップＳ２６０に処理を戻して、次の絶対倍率ＡＳが受信されるのを待つ。終了する指示を受けたと判定された場合には、「ＥＮＤ」に抜けて、Ｗｅｂページ検索結果提示処理を終了する。上記終了する指示は、例えば、スマートフォン４００側から送られてくる、情報提示サーバ２００との間の接続を切断する指示である。
【００８２】
情報提示サーバＣＰＵ２２０が、以上のように構成されたＷｅｂページ検索結果提示処理を実行することで、表示制御部２２２（図１）を機能的に実現する。特に、Ｗｅｂページ検索結果提示処理におけるステップＳ２６０ないしＳ２８０の処理を実行することで、表示更新部２２２ａ（図１）を機能的に実現する。
【００８３】
Ａ−３．実施例効果：
以上説明した第１実施例のＷｅｂページ検索システム１０によれば、スマートフォン４００から、情報提示サーバ２００が公開するＷｅｂサイトに接続されると、スマートフォン４００は、まず、情報提示サーバ２００から第１パターンのページ画像データＰＧ１の提示を受けて、検索結果の一覧として詳細度の最も低いページ画像データＰＧ１を表示する。その後、スマートフォン４００は、ピンチアウト／ピンチインの操作がなされる都度に、ピンチアウト／ピンチインの操作に従う倍率に応じた詳細度のページ画像データの提示を情報提示サーバ２００から受け、表示されるページ画像データの切り替えを行う。このために、スマートフォン４００の操作者は、ピンチアウト／ピンチインの操作を行うだけで、画面に表示される検索結果の一覧に含まれるＷｅｂページ毎の説明文の情報量を変更することができる。したがって、操作者は、ピンチアウト／ピンチインの操作を行うだけで、自分が望む情報に辿り着くことが可能となることから、検索を素早く行うことができる。換言すれば、操作者は、Ｗｅｂページを１つ１つ開ける操作を行わずに、望む情報を得ることができる。
【００８４】
また、本実施例では、第１〜第４パターンのページ画像データＰＧ１〜ＰＧ４を予め作成しておいて、ピンチアウト／ピンチインの操作を受ける都度に複数のページ画像データの中から１つを表示画像として選択する構成としていることから、ピンチアウト／ピンチインの操作を受けたときの表示の更新を素早く行うことができる。
【００８５】
Ｂ．第２実施例：
本発明の第２実施例は、天気予報を検索するシステムである。このシステムは、第１実施例と似通ったシステム構成とすることで実現することができる。本実施例では、第１実施例における図１において、検索サーバ１００を、天気予報情報を配信する天気予報情報配信サーバに替え、情報提示サーバ２００を、天気予報情報配信サーバから送られてくる天気予報情報を利用する構成とすることで、スマートフォンに適した表示態様で天気予報情報をスマートフォン４００に表示させる。
【００８６】
図７Ａないし図７Ｂは、スマートフォン４００に表示される天気予報の検索結果を例示する説明図である。図７Ａは第１パターンの表示画面ＰＰ１を、図７Ｂは第２パターンの表示画面ＰＰ２を、図７Ｃは第３パターンの表示画面ＰＰ３を、図７Ｄは第４パターンの表示画面ＰＰ４をそれぞれ示す。第１パターンから第４パターンまで順に詳細度が高くなっている。
【００８７】
図７Ａに示す第１パターンの表示画面ＰＰ１は、情報提示サーバ２００が公開するＷｅｂサイトに接続した時の初期画面である。図示するように、日本地図と共に、各都市の今日の天気が天気マークによって示されている。
【００８８】
図７Ｂに示す第２パターンの表示画面ＰＰ２には、図７Ａよりも拡大された地図（表示範囲は狭い）とともに、各都市についての今日の天気と、今日の温度（最大温度もしくは最低温度）とが示されている。
【００８９】
図７Ｃに示す第３パターンの表示画面ＰＰ３には、図７Ｂよりも拡大された地図（表示範囲は狭い）とともに、各都市についての今日の天気と、今日の温度（最大温度もしくは最低温度）と、今日の湿度（所定時間の湿度）とが示されている。
【００９０】
図７Ｄに示す第４パターンの表示画面ＰＰ４には、図７Ｃよりも拡大された地図（表示範囲は狭い）とともに、各都市についての今日の天気と、今日の温度（最大温度もしくは最低温度）と、今日の湿度（所定時間の湿度）と、明日の天気の予測を示す明日予測情報とが示されている。
【００９１】
図７Ａないし図７Ｄに示す各表示画面ＰＰ１〜ＰＰ４は、情報提示サーバ２００から、各表示画面ＰＰ１〜ＰＰ４に対応したページデータの提示を受けることで表示される。情報提示サーバ２００がどのようにしてページデータの提示を行なっているかを、次に説明する。
【００９２】
情報提示サーバ２００は、スマートフォン４００から、情報提示サーバ２００が公開するＷｅｂサイトへの接続があると、まず、天気予報情報配信サーバである検索サーバ１００から、最新の日本全国における主要な各都市についての天気予報情報を取得し、都市毎に前記４つのパターンに対応する４種類の画像データを生成する。前記検索サーバ１００から送られてくる都市毎の天気予報情報は、テキスト情報により構成され、適用例１における「コンテンツ」に相当する。
【００９３】
図８は、都市毎に生成される４種類の画像データを例示する説明図である。図８（ａ）に示す第１種類の画像データＰＣ１は、前記第１のパターン（図７Ａ参照）に対応したもので、都市名と天気マークが並んだものである。この画像データＰＣ１は、天気予報情報に含まれる都市名と今日の天気を表す各テキスト情報を画像化したものである。
【００９４】
図８（ｂ）に示す第２種類の画像データＰＣ２は、前記第２のパターン（図７Ｂ参照）に対応したもので、都市名と天気マークと今日の温度が並んだものである。この画像データＰＣ２は、天気予報情報に含まれる都市名と今日の天気と今日の温度を表す各テキスト情報を画像化したものである。
【００９５】
図８（ｃ）に示す第３種類の画像データＰＣ３は、前記第３のパターン（図７Ｃ参照）に対応したもので、都市名と天気マークと今日の温度と今日の湿度が並んだものである。この画像データＰＣ３は、天気予報情報に含まれる都市名と今日の天気と今日の温度と今日の湿度を表す各テキスト情報を画像化したものである。
【００９６】
図８（ｄ）に示す第４種類の画像データＰＣ４は、前記第４のパターン（図７Ｄ参照）に対応したもので、都市名と天気マークと今日の温度と今日の湿度と明日予測情報とが並んだものである。この画像データＰＣ４は、天気予報情報に含まれる都市名と今日の天気と今日の温度と今日の湿度を表す各テキスト情報を画像化したものである。
【００９７】
情報提示サーバ２００は、第１〜第４種類の画像データＰＣ１〜ＰＣ４を都市毎に生成し、ＨＤＤ２４０（または内部記憶部２３０）に一旦格納する。その後、情報提示サーバ２００は、スマートフォン４００から、ピンチアウト／ピンチインの操作に従う検索地域（ピンチアウト／ピンチインの操作に従って表示パネルに表示される範囲）と、第１実施例と同様のピンチアウト／ピンチインの絶対倍率ＡＳとを受信し、前記検索地域に含まれる都市であり、かつ絶対倍率ＡＳに応じた種類である画像データＰＣ１〜ＰＣ４をＨＤＤ２４０から選択する。第１実施例と同様に２倍、３倍、４倍を閾値として、第１〜第４種類の画像データＰＣ１〜ＰＣ４のいずれかを選択する。その後、情報提示サーバ２００は、前記選択された各都市の画像データを配列したページのイメージを、画像データでない形で既述したページデータ（図７Ａ〜図７Ｄに示す表示画面ＰＰ１〜ＰＰ４の内のいずれか）を生成し、このページデータをスマートフォン４００に提示する。
【００９８】
以上の構成により、スマートフォン４００において、第１パターンないし第４パターンの表示画面ＰＰ１〜ＰＰ４のいずれか（初期は、第１パターンの表示画面ＰＰ１）が表示された状態で、ピンチアウト／ピンチインの操作がなされたときに、その操作に従って地図画像が拡大／縮小されるとともに、そのピンチアウト／ピンチインの操作による絶対倍率ＡＳに応じて各都市に示される情報の詳細度が切り替えられる。このために、スマートフォン４００の操作者は、ピンチアウト／ピンチインの操作を行うだけで、画面に表示される各都市の天気予報についての情報量を変更することができる。したがって、操作者は、ピンチアウト／ピンチインの操作を行うだけで、自分が望む情報（例えば明日の予報に）辿り着くことが可能となることから、天気予報の検索を素早く行うことができる。
【００９９】
Ｃ．第３実施例：
本発明の第３実施例は、第１実施例と同様に、Ｗｅｂページ検索システムである。第１実施例では、スマートフォン４００に提示するページ画像データは、検索された複数のＷｅｂページを順に並べた一覧したものである。これに対して、第３実施例では、検索された複数のＷｅｂページをカテゴリー別に分類し、カテゴリー毎に、第１実施例のページ画像データのように各Ｗｅｂページの説明が縦方向に並べられた画像データ（以下「カテゴリー別画像データ」と呼ぶ）を生成するように構成した。カテゴリー別画像データのそれぞれは、第１実施例と同様に、詳細度の相違する複数パターンを生成し、ピンチアウト／ピンチインの絶対倍率ＡＳに応じたパターンのものを選択するようにする。
【０１００】
例えばディレクトリ型の検索エンジンにおいては、Ｗｅｂページにカテゴリーが割り付けられていることから、前記Ｗｅｂページのカテゴリー別の分類は容易である。情報提示サーバは、各カテゴリー別画像データを配列したページのイメージを、画像データでない形で既述したページデータを生成し、このページデータをスマートフォンに提示する。
【０１０１】
図９は、スマートフォンに表示される検索結果を例示する説明図である。図示するように、カテゴリー別画像データとしては、「スポーツ」の画像データＤ１、「交通」の画像データＤ２、「ショッピング」の画像データＤ３、および「グルメ」の画像データＤ４が表示される。各カテゴリー別画像データＤ１〜Ｄ４は、横方向にｎ個、横方向にｍ個（ｎ，ｍは複数）並ぶように２次元的に配列されている。各カテゴリー別画像データＤ１〜Ｄ４に対して、個別にピンチアウト／ピンチインの操作が可能となり、ピンチアウト／ピンチインの操作がなされたときに、その操作がなされたカテゴリー別画像データに含まれる検索Ｗｅｂページについての説明文の詳細度が切り替えられる。
【０１０２】
以上のように構成された第３実施例のＷｅｂページ検索システムによれば、検索結果がカテゴリー別に分類して表示されることから、情報収集が容易である。その上、第１実施例と同様に、操作者は、ピンチアウト／ピンチインの操作を行うだけで、自分が望む情報に辿り着くことが可能である。これらのことから、検索を、より一層、素早く行うことが可能となる。
【０１０３】
Ｄ．他の実施形態：
この発明は前記各実施例やそれらの変形例に限られるものではなく、その要旨を逸脱しない範囲において種々の構成を採ることができる。例えば、次のように変形することができる。
【０１０４】
・変形例１：
前記第１〜第３実施例では、ピンチアウト／ピンチインの絶対倍率ＡＳが２倍、３倍、４倍と変わる毎に、ページ画像データを更新する構成としていたが、これら２倍、３倍、４倍という閾値は、これら値に限る必要はなく、例えば、１．５倍、２．０倍、２．５倍、３．０倍という値、あるいは２倍、４倍、６倍という値というように、別の値としてもよい。また、ページ画像データのパターンの数も４つである必要もなく、より多くの数としてもよいし、より少ない数としてもよい。より多くのパターン数とする場合には、例えば、第１実施例においては、テキスト情報の要約について、前記実施例のように、最初の文と要約の全文との２パターンとする替わりに、要約の最初の文、要約の第２番目までの文、要約の第３番目までの文、…、というように要約をより細かく分けるようにすればよい。要約の切り分け方は、検索サーバ１００から送られてくる検索結果データのテキスト情報の情報量によっても変わるが、例えば、要約の第２番目までの文、第３番目までの文、第３番目までの文、…、と段階的に増やして、絶対倍率ＡＳが所定値以上となったら、要約の全文というように飛躍的に増やす構成としてもよい。
【０１０５】
・変形例２：
前記第１、第２実施例において、スマートフォン４００で表示されるページ画像データＰＧ１〜ＰＧ４は、他のページへのハイパーリンクを実現するタグを埋め込む構成とすることもできる。ページ画像データＰＧ１〜ＰＧ４のそれぞれにおいて、Ｗｅｂページ単位で表示区域を認識できるように座標管理し、前記表示区域のそれぞれにタグを埋め込むように構成する。この構成によれば、操作者は、スマートフォン４００で表示されるページ画像上の所望の部位をタッチすることで、その所望の部位に該当するＷｅｂページへのハイパーリンクを行うことが可能となる。
【０１０６】
・変形例３：
前記第１〜第３実施例では、ピンチアウト／ピンチインの操作が行なわれる毎に、ピンチアウト／ピンチインの絶対倍率ＡＳを求めて、絶対倍率ＡＳに応じたページ画像データを選択するように構成していたが、これに換えて、ピンチアウト／ピンチインの操作が行なわれる毎に、そのピンチアウト／ピンチインの拡大率／縮小率に基づいて、現在表示されているページ画像データから何番目先の（あるいは何番目後ろの）ページ画像データを選択するかを決め、その決めたページ画像データを提示する構成としてもよい。
【０１０７】
・変形例４：
前記第１、第３実施例では、ピンチアウト／ピンチインの操作が行なわれる毎に、スマートフォン４００に表示されるページ画像データの詳細度が切り替えられる構成とし、通常のピンチアウト／ピンチイン時の画面変化は起こらないものとしたが、これに替えて、ページ画像データを切り替える過渡期、すなわち、絶対倍率ＡＳが２倍までの間、２倍〜３倍の間、３倍〜４倍の間において、通常のピンチアウト／ピンチイン時の画面変化、すなわち画面上の文字や画像が拡大／縮小する変化を起こすように構成してもよい。
【０１０８】
・変形例５：
前記第１、第３実施例では、複数のページ画像データＰＧ１〜ＰＧ４を予め作成しておいて、ピンチアウト／ピンチインの操作を受ける都度に複数のページ画像データＰＧ１〜ＰＧ４の中から１つを選択し、その選択されたページ画像データＰＧ１〜ＰＧ４をスマートフォン等の表示装置に表示させる構成としたが、これに換えて、前記複数のページ画像データを予め作成することは行わず、ピンチアウト／ピンチインの操作を受ける都度に、テキスト情報の情報量を増加／減少してページ画像データの生成を行い、該生成されたページ画像データを表示装置に表示させる構成としてもよい。また、前記第２実施例では、都市毎の複数の画像データＰＣ１〜ＰＣ４を予め作成して、ピンチアウト／ピンチインの操作を受ける都度に複数の画像データＰＣ１〜ＰＣ４の中から１つを選択してページデータを生成し、そのページデータを表示装置としてのスマートフォンに表示させる構成としたが、これに換えて、前記複数の画像データを予め作成することは行わず、ピンチアウト／ピンチインの操作を受ける都度に、テキスト情報の情報量を増加／減少して画像データの生成を行い、該生成された画像データからページデータを生成し、そのページデータを表示装置に表示させる構成としてもよい。なお、この第２実施例に対する変形例では、ピンチアウト／ピンチインの操作を受ける都度に、全国中の都市についての画像データを必ずしも作成する必要はなく、ピンチアウト／ピンチインの操作に従う検索地域、すなわちピンチアウト／ピンチインの操作に従って表示パネルに表示される範囲に含まれる都市についての画像データを生成する構成としてもよい。
【０１０９】
・変形例６：
前記第１実施例では、情報提示サーバ２００は、各検索Ｗｅｂページ情報ｄｗのテキスト情報を画像化した画像部分を含むページ画像データを生成し、そのページ画像データをスマートフォン４００に提示する構成としたが、これに換えて、各検索Ｗｅｂページ情報ｄｗのテキスト情報を画像化し、画像化された各画像データを配列したページのイメージを、画像データでない形で既述したページデータを生成し、このページデータをスマートフォン４００に提示する構成としてもよい。さらに、この構成において、前記各画像データにタグを埋め込むように構成すれば、前記各画像データで示されるＷｅｂページへのハイパーリンクを容易に実現することができる。
【０１１０】
・変形例７：
前記第１実施例では、ピンチアウト／ピンチインの絶対倍率ＡＳが４倍以上であるときに、詳細度の最も高い第４パターンのページ画像データＰＧ４が選択される構成としたが、さらに、絶対倍率ＡＳが４倍より大きな値（例えば５倍）以上となったときには、スマートフォン４００の表示パネル４０２に表示される内容のＷｅｂページに、表示パネルのタッチなしにハイパーリンクできるようにしてもよい。なお、表示パネルのサイズが大きい場合、閾値を５倍以上としても、複数のＷｅｂページの説明文が表示されることもあり得るが、こうした場合には、ピンチアウト操作した部位に近い説明文に対応したＷｅｂページにハイパーリンクさせるようにすればよい。
【０１１１】
・変形例８：
前記第１、第３実施例では、コンテンツであるＷｅｂページ情報ｄｗに含まれるテキスト情報は、［タイトル］項目ｄ４１と［要約］項目ｄ４２とから構成し、詳細度が最も低いページ画像データを生成するときには、［タイトル］項目ｄ４１に格納されたタイトルだけを用い、詳細度が高くなるにつれ、［要約］項目ｄ４２に格納された要約において用いる文を増加していくようにしていた。これに換えて、テキスト情報を一つの項目とし、詳細度が高くなるにつれ、この項目に格納された情報から用いる情報量を増加していくようにしてもよい。また、テキスト情報をより多数の項目から構成し、詳細度が高くなるにつれ、用いる項目を増加することで情報量を増やすようにしてもよい。この用いる項目を増加することで情報量を増やす構成は、前記第２実施例に相当する。第２実施例では、今日の天気、今日の温度、今日の湿度、明日の天気予測というように、用いる項目を増加している。
【０１１２】
・変形例９：
前記第１および第３実施例では、各コンテンツを検索結果であるＷｅｂパージ情報ｄｗとし、前記第２実施例では、各コンテンツを各都市の天気予報情報としていたが、コンテンツはこれらに限る必要はなく、例えば、コンテンツを商品情報としてショッピングサイトを表示する構成、コンテンツをテレビ番組としてテレビ番組表を表示する構成、コンテンツを歌謡曲としてヒットチャートを表示する構成等に換えることができる。要は、コンテンツはテキスト情報を含むものであれば、どのようなコンテンツであってもよい。
【０１１３】
・変形例１０：
前記各実施例では、情報提示サーバに接続するクライアントをスマートフォンとしたが、スマートフォンに限る必要はなく、ネットワークに接続可能な情報表示装置であれば、いずれの装置であってもよい。例えば、電話機能を有しないＰＤＡ、ｉＰａｄ（登録商標）等のタブレット型コンピュータ、ノート型コンピュータ、ディスク型コンピュータ、プリンタ機能を有する複合機等が該当する。さらに、基地局３００とインターネットＩＮＴを介して接続する構成に換えて、インターネットだけで接続する構成、インターネット以外の専用ネットワーク回線で接続する構成、ケーブルによる直接接続による構成、等とすることもできる。
【０１１４】
・変形例１１：
前記各実施例では、情報提示サーバ２００は、検索サーバ１００から送られてくる検索結果を利用しているが、これに換えて、情報提示サーバが、検索サーバの機能を併せ持つ構成としてもよい。また、情報提供サーバと検索サーバとの間は、インターネットで接続する構成としたが、これに換えて、専用回線で接続する構成としてもよい。
【０１１５】
・変形例１２：
前記各実施例では、情報提示サーバは、スマートフォンによるピンチアウト／ピンチインの操作を受けて、提供するページ画像の詳細度を切り替える構成とした。ここで、ピンチアウト／ピンチインは、先に説明したように、タッチパネルに２本の指を乗せ、指の間を広げたり狭めたりする操作であるが、これに限る必要もなく、３本以上の指による操作、指に替えてタッチペンによる操作等に替えることもできる。さらに、拡大／縮小率を指定するためのスライダーバーのマウスによる操作を受けて、提供するページ画像の詳細度を切り替える構成としてもよい。また、必ずしも拡大／縮小率を直接入力する構成に限ることはなく、例えば、所定のボタンがクリックされたときに、提供するページ画像の詳細度を１段階、切り替える構成としてもよい。要は、なんらかの指示であればよい。
【０１１６】
・変形例１３：
前記各実施例では、情報提示サーバは、検索サーバから検索結果を受信したときに、詳細度が相違する複数パターンのページ画像データを一度に作成し、ピンチアウト／ピンチインの操作を受けたときに、前記複数パターンのページ画像データから１つを選択する構成としていたが、これに換えて、前記ページ画像データを一度に作るのを止めて、ピンチアウト／ピンチインの操作を受ける都度に、絶対倍率ＡＳに応じたページ画像データを作成するようにしてもよい。
【０１１７】
・変形例１４：
上記各実施例では、Ｗｅｂページ検索結果提示処理を記述したコンピュータプログラムは、ＨＤＤ２４０に記憶される構成としたが、これに替えて他の記憶部に記憶される構成としてもよい。上記コンピュータプログラムは、ＣＤ−ＲＯＭなどの各種記憶媒体（コンピュータ読み取り可能な記録媒体等）に記憶されて配布されたり、またはインターネットなど各種通信手段を通じて配信されたりするものとすることができる。
【０１１８】
前記実施例および各変形例において、ハードウェアによって実現されていた構成の一部をソフトウェアに置き換えるようにしてもよく、逆に、ソフトウェアによって実現されていた構成の一部をハードウェアに置き換えるようにしても良い。
【０１１９】
なお、前述した実施例および各変形例における構成要素の中の、独立請求項で記載された要素以外の要素は、付加的な要素であり、適宜省略可能である。また、本発明はこれらの実施例および各変形例になんら限定されるものではなく、その要旨を逸脱しない範囲内において種々の態様での実施が可能である。
【符号の説明】
【０１２０】
１０…Ｗｅｂページ検索システム
１００…検索サーバ
１１０…検索エンジン
１２０…データベース
２００…情報提示サーバ
２１０…通信部
２２０…ＣＰＵ
２２２…表示制御部
２２２ａ…表示更新部
２３０…内部記憶部
２３２…コンピュータプログラム
２３４…ＡＰＩ
２４０…ハードディスクドライブ（ＨＤＤ）
３００…基地局
４００…スマートフォン
４０２…タッチセンサ式表示パネル
４０４…入力部
４１０…ＣＰＵ
ＩＮＴ…インターネット
【図１】
2013037513.tif 000003
【図２】
2013037513.tif 000004
【図３】
2013037513.tif 000005
【図４】
2013037513.tif 000006
【図５】
2013037513.tif 000007
【図６】
2013037513.tif 000008
【図７Ａ】
2013037513.tif 000009
【図７Ｂ】
2013037513.tif 000010
【図７Ｃ】
2013037513.tif 000011
【図７Ｄ】
2013037513.tif 000012
【図８】
2013037513.tif 000013
【図９】
2013037513.tif 000014